(57)【要約】【課題】紙幣投入口に紙幣が投入されて遊技媒体が遊技機に供給されるようになった段階では、紙幣投入口を備えた機械ユニットを遊技客などが枠体から引き抜こうとしても引き抜けないようにする。【解決手段】紙幣投入口に投入された紙幣が正規の紙幣であれば所要の信号を出力すると共に、その紙幣を紙幣送出口から送出し、正規の紙幣でないときには紙幣投入口から返却する機構を備えた機械ユニット１３の可撓性を有する抜取防止腕１９の先端側の突起２０Ａと、機械ユニット１３が前面開口部から抜取可能に押入設置される枠体１４の背面板２１とは、機械ユニット１３が枠体１４の所定位置に挿入設置されたときに係合し、抜取防止腕１９の他方の突起２０Ｂと背面板２１とは、機械ユニット１３が枠体１４の所定位置に挿入設置される前に係合し、抜取防止腕１９を上方に撓ませてその係合を解除しない限り、機械ユニット１３が枠体１４から抜き取れないようにした。【選択図】      図２
2004318481.tif 000002
【特許請求の範囲】
【請求項１】
前面パネルの紙幣投入口に投入された紙幣が正規の紙幣と認識されたときには所要の信号を出力すると共に、その紙幣を背面側の紙幣送出口から送出し、正規の紙幣と認識されないときには紙幣投入口から返却する機構を備えた機械ユニットが、枠体の前面開口部から抜き取り可能に枠体内に挿入設置された紙幣処理装置において、機械ユニットが枠体の所定位置に挿入設置されたときと、所定位置に挿入設置される前の少なくとも二箇所において、機械ユニットの枠体からの抜き取りを不能に係合すると共に、枠体外の前方以外から前記係合の解除が可能な抜取防止機構が設けられたことを特徴とする紙幣処理装置。
【請求項２】
機械ユニットを駆動する電力供給線と、機械ユニットが送受信する信号が流れる信号線とを含むハーネスが、フローティングコネクタにより連結／分離されることを特徴とする請求項１記載の紙幣処理装置。
【発明の詳細な説明】
【０００１】
【発明の属する技術分野】
本発明は、提示された紙幣が正規の紙幣であるときには所要の信号を出力すると共に、その紙幣を取り込んで背面側に送出する紙幣処理装置に関する。
【０００２】
【従来の技術】
この種の装置は、例えば図３に例示したように、パチスロ台３０に併設される台間メダル貸機４０の紙幣取込／送出装置１０として使用される。すなわち、遊技客が紙幣取込／送出装置１０に投入した紙幣が正規の紙幣であると認識されないときにはそのまま返却し、正規の紙幣であると認識されたときには所要の信号を出力して台間メダル貸機４０を起動し、図示しないメダル供給機構を介して当該パチスロ台３０に所定の数のメダルを供給すると共に、その紙幣を取り込んで背面側に送出し、紙幣取込／送出装置１０の後方に配置された紙幣搬送装置５０、すなわち島端などに設置される金庫５１まで紙幣を搬送するための紙幣搬送装置５０に図示しない紙幣を受け渡す機能を備えた装置である。
【０００３】
したがって、紙幣取込／送出装置１０は、例えば図４に示したように図示しない紙幣投入口が開設された前面パネル１１と、図示しない紙幣送出口が開設された背面パネル１２と、前面パネル１１の紙幣投入口に投入された紙幣が正規の紙幣であれば所要の信号を出力すると共に、その紙幣を背面パネル１２の紙幣送出口から送出し、正規の紙幣でないときには前面パネル１１の紙幣投入口から返却する機構を備えた機械ユニット１３と、その機械ユニット１３が前面開口部から抜き取り可能に押入設置される枠体１４とを備えて構成されている。
【０００４】
また、紙幣取込／送出装置１０は、機械ユニット１３に固定されたフローティングコネクタ１５と、枠体１４に固定されたフローティングコネクタ１６とを備え、フローティングコネクタ１５と１６とを連結し、また分離することにより、機械ユニット１３を駆動する電力供給線と、機械ユニット１３が外部と送受信する信号が流れる信号線とを含むハーネス１７の機械ユニット１３との連結／分離がなされて、機械ユニット１３を図示しない電源、ホールコンピュータ、紙幣搬送装置５０などと連結したり、分離することが可能に構成されている。
【０００５】
そして、紙幣取込／送出装置１０には、機械ユニット１３が枠体１４の所定位置まで押入されると、遊技ホールの従業員は機械ユニット１３を枠体１４から引き抜くことはできるが、遊技客など他の者が機械ユニット１３を引き抜くことができないように、抜取防止手段としてのラッチ機構１８が設けられている。
【０００６】
ラッチ機構１８は、機械ユニット１３の上部側後方に延設された可撓性を有する樹脂製の抜取防止腕１９と、枠体１４に取付けられた背面板２１とから構成され、機械ユニット１３が枠体１４内に前面開口部から押入されると、抜取防止腕１９の先端側に鏃状に設けられた突起２０Ａの傾斜面が背面板２１の上端部に当たり、抜取防止腕１９が上方に撓んで突起２０Ａが背面板２１を乗り越えて突起２０Ａが背面板２１の後方に位置し、抜取防止腕１９の先端部を摘んで突起２０Ａを背面板２１より上に持ち上げない限り、機械ユニット１３を枠体１４から引き抜くことができないように構成して、機械ユニット１３が枠体１４から引き抜かれて紙幣の抜取などの悪戯がなされないように構成されている。
【０００７】
なお、前記したフローティングコネクタ１５、１６は、機械ユニット１３が枠体１４の所定位置に押入されたときに確実に連結されるように、機械ユニット１３が枠体１４の所定の位置に押入される少し前に連結が完了する位置に設置されている。
【０００８】
したがって、上記構成の紙幣取込／送出装置１０においては、物が挟まるなどして機械ユニット１３が枠体１４の所定の位置に押入設置されていない、すなわちフローティングコネクタ１５、１６は連結されているが、ラッチ機構１８の抜取防止腕１９が背面板２１の上端部を乗り越えていない状態で放置されたときには、前面パネル１１の図示しない紙幣投入口に紙幣が投入されたことによって所要の信号が台間メダル貸機４０に送信され、メダルがパチスロ台３０に供給されるようになった段階で、機械ユニット１３が枠体１４から引き抜かれて、機械ユニット１３に残っている紙幣が盗まれるなどの被害を受けることがあった。
【０００９】
【発明が解決しようとする課題】
そのため、紙幣投入口に紙幣が投入され、所要の信号を出力されてメダルなどの遊技媒体がパチスロ台などの遊技機に供給されるようになった段階では、遊技客が枠体から紙幣投入口が開口した機械ユニットを引き抜こうとしても引き抜けないようにする必要があり、それが解決すべき課題となっていた。
【００１０】
【課題を解決するための手段】
本発明は上記従来技術の課題を解決するための具体的手段として、前面パネルの紙幣投入口に投入された紙幣が正規の紙幣と認識されたときには所要の信号を出力すると共に、その紙幣を背面側の紙幣送出口から送出し、正規の紙幣と認識されないときには紙幣投入口から返却する機構を備えた機械ユニットが、枠体の前面開口部から抜き取り可能に枠体内に挿入設置された紙幣処理装置において、機械ユニットが枠体の所定位置に挿入設置されたときと、所定位置に挿入設置される前の少なくとも二箇所において、機械ユニットの枠体からの抜き取りを不能に係合すると共に、枠体外の前方以外から前記係合の解除が可能な抜取防止機構を設けるようにした第１の構成の紙幣処理装置と、
【００１１】
前記第１の構成の紙幣処理装置において、機械ユニットを駆動する電力供給線と、機械ユニットが送受信する信号が流れる信号線とを含むハーネスを、フローティングコネクタにより連結／分離するようにした第２の構成の紙幣処理装置と、
を提供することにより、前記した従来技術の課題を解決するものである。
【００１２】
【発明の実施の形態】
以下、本発明の一実施形態を主に図１に基づいて詳細に説明する。なお、理解を容易にするため、これらの図においても前記図３、図４において説明した部分と同様の機能を有する部分には、同一の符号を付した。
【００１３】
図１に示したように、本発明の紙幣処理装置としての紙幣取込／送出装置１０においては、ラッチ機構１８を構成する抜取防止腕１９の先端側には二つの突起２０Ａ、２０Ｂが設けられている。
【００１４】
一方の突起２０Ａは、従来の紙幣取込／送出装置１０の抜取防止腕１９に設けられていた突起２０Ａと同じ位置、すなわち機械ユニット１３が枠体１４の所定の奥に挿入設置されたときに、抜取防止腕１９が撓みながら背面板２１を乗り越えてその後方に位置し、背面板２１と係合して機械ユニット１３の枠体１４からの抜き取りを不能とする位置に設けられている。
【００１５】
他方、すなわち先端側の突起２０Ｂは、機械ユニット１３が枠体１４の所定の奥に挿入設置される前、すなわちフローティングコネクタ１５、１６が連結される前に、抜取防止腕１９が突起２０Ａのときと同様に撓みながら背面板２１を乗り越えてその後方に位置し、背面板２１と係合して機械ユニット１３の枠体１４からの抜き取りを不能とする位置に設けられている。
【００１６】
そのため、フローティングコネクタ１５、１６が連結され、前面パネル１１の図示しない紙幣投入口に投入された紙幣が正規の紙幣であり、したがって機械ユニット１３から所定の信号がハーネス１７を介して出力され、図示しないメダル供給機構を介してパチスロ台３０にメダルが供給され始めたときには、突起２０Ｂが背面板２１の後方に位置して機械ユニット１３を枠体１４から引き抜くことはできないようになっているので、物が挟まるなどして、機械ユニット１３が枠体１４の所定位置まで押入されておらず、したがって突起２０Ａが背面板２１の後方に位置していないときでも、突起２０Ｂを背面板２１より上に持ち上げない限り、機械ユニット１３を枠体１４から引き抜くことはできない。
【００１７】
上記したように、本発明の紙幣取込／送出装置１０においては、後方からは抜取防止腕１９の先端部を摘むなどして突起２０Ａ、２０Ｂを背面板２１より引き上げることにより、機械ユニット１３を枠体１４から引き抜くことができる。
【００１８】
そして、本発明の紙幣取込／送出装置１０は、一般に図示しない紙幣投入口が開設された前面パネル１１は遊技客に面するが、その他の部分はパチスロ島の開閉可能な幕板によって覆われ、その幕板を開けたときだけ露出可能に設置されるので、幕板を開ける鍵を持っている従業員は抜取防止腕１９の先端部を操作して機械ユニット１３を枠体１４から引き抜くことができるが、鍵を持っていない遊技客などが機械ユニット１３を枠体１４から抜き抜くことはできない。
【００１９】
すなわち、本発明の紙幣取込／送出装置１０においては遊技客に悪戯されることがない。しかも、従来は抜取防止腕１９に突起２０Ａだけを設けてあったが、それを単に一つ増やしただけであるので、殆どコストアップを招くことがない。
【００２０】
なお、本発明は上記実施形態に限定されるものではないので、特許請求の範囲に記載の趣旨から逸脱しない範囲で各種の変形実施が可能である。
【００２１】
例えば、図２に示したように、枠体１４の側に突起２０Ａを備えた可撓性の抜取防止腕１９を設け、機械ユニット１３の側に２枚の縦板部材２２Ａ、２２Ｂを所定の間隔で設け、縦板部材２２Ａ、２２Ｂと抜取防止腕１９の突起２０Ａとが係合し、抜取防止腕１９を上方に撓ませてその係合が解除されない限り、機械ユニット１３を枠体１４から抜き取れないようにすることも可能である。
【００２２】
また、本発明の紙幣取込／送出装置１０は、パチンコ台などに併設する紙幣取込／送出装置として使用することも可能である。
【００２３】
【発明の効果】
以上説明したように、本発明装置においては紙幣投入口に紙幣が投入され、所要の信号を出力されてメダルなどの遊技媒体がパチスロ台などの遊技機に供給されるようになった段階では、紙幣が投入された機械ユニットを遊技客が枠体から引き抜こうとしても引き抜けないので、紙幣を抜取などされることがない。
【図面の簡単な説明】
【図１】本発明になる紙幣処理装置の一例を示す説明図である。
【図２】本発明になる紙幣処理装置の他の一例を示す説明図である。
【図３】紙幣処理装置の使用例を示す説明図である。
【図４】従来例を示す説明図である。
【符号の説明】
１０  紙幣取込／送出装置
１１  前面パネル
１２  背面パネル
１３  機械ユニット
１４  枠体
１５、１６  フローティングコネクタ
１７  ハーネス
１８  ラッチ機構
１９  抜取防止腕
２０Ａ、２０Ｂ  突起
２１  背面板
２２Ａ、２２Ｂ  縦板部材
３０  パチスロ台
４０  台間メダル貸機
５０  紙幣搬送装置
５１  金庫
１００  紙幣取込／送出装置
【図１】
2004318481.tif 000003
【図２】
2004318481.tif 000004
【図３】
2004318481.tif 000005
【図４】
2004318481.tif 000006